(57)【要約】【課題】エンジンの車両右側に高温の空気が流れ込むことによる熱害を抑制することを目的とする。【解決手段】冷却水が車両左側から車両右側へ流れるように設定されたクロスフロー型のラジエータ１４と、該ラジエータ１４の車両後側に隣接して配設され、エンジン１２側から見て右回転する単一の冷却ファン１６と、エンジン１２の車両上側に設けられると共に、車両右側のエンジンマウント２８上まで延設されたエンジン意匠カバー１８と、ラジエータサポート４２の車両上側に設けられ、冷却ファン１６の中心から車両右側ではエンジン意匠カバー１８に重なり、冷却ファン１６の中心から車両左側ではエンジン意匠カバー１８との間に車両前後方向の隙間Ｓが形成されるように構成されたラジエータサポート意匠カバー２２と、を有している。【選択図】図１
2011168083.tif 000002
【特許請求の範囲】
【請求項１】
車両前部のエンジンルーム内に左右のエンジンマウントを介して配設され、車両後方側に排気系部品が設けられたエンジンと、
車幅方向に延びる上下一対のラジエータサポートに支持されて前記エンジンの車両前側に配設され、冷却水が車両左側から車両右側へ流れるように設定されたクロスフロー型のラジエータと、
該ラジエータの車両後側に隣接して配設され、前記エンジン側から見て右回転して、該ラジエータ側の空気を車両後方へ流す単一の冷却ファンと、
前記エンジンの車両上側に設けられると共に、車両右側の前記エンジンマウント上まで延設されたエンジン意匠カバーと、
前記ラジエータサポートの車両上側に設けられ、前記冷却ファンの中心から車両右側では前記エンジン意匠カバーにラップし、前記冷却ファンの中心から車両左側では前記エンジン意匠カバーとの間に車両前後方向の隙間が形成されるように構成されたラジエータサポート意匠カバーと、
を有するエンジンルーム部品の冷却構造。
【発明の詳細な説明】
【技術分野】
【０００１】
本発明は、エンジンルーム部品の冷却構造に関する。
【背景技術】
【０００２】
ラジエータを通過した高温の背風がエンジン吸気系へ導入されないように、エンジンの吸気取入口をエンジンルーム内の一方のヘッドランプの裏側に設けるとともに、吸気取入口の開口部をエンジンルームの前方に指向させ、ラジエータの冷却ファンによる送風の移動流路が、吸気取入口の設置側とは反対側の他方のヘッドランプの裏側へ向かうように、ラジエータの冷却ファンの回転方向を定める構造が開示されている（特許文献１参照）。
【先行技術文献】
【特許文献】
【０００３】
【特許文献１】特開平９−６０５６１号公報
【発明の概要】
【発明が解決しようとする課題】
【０００４】
上記した従来例では、ラジエータを通過した空気を一括して扱い、冷却ファンの回転方向のみを規定することで、低雰囲気温を達成するとしている。しかしながら、ラジエータを通過した風（空気）には温度分布が存在しており、目的にあった温度の風を狙った部位に向けて流さないと、低雰囲気温を達成することは難しい。また冷却ファンの回転方向を規定するだけでは、ラジエータ通過風の流れを制御することはできない。従って、多数の部品が配置されている最近のエンジンルーム部品の冷却には、未だ改善の余地がある。
【０００５】
本発明は、上記事実を考慮して、エンジンの車両右側に高温の空気が流れ込むことによる熱害を抑制することを目的とする。
【課題を解決するための手段】
【０００６】
請求項１の発明は、車両前部のエンジンルーム内に左右のエンジンマウントを介して配設され、車両後方側に排気系部品が設けられたエンジンと、車幅方向に延びる上下一対のラジエータサポートに支持されて前記エンジンの車両前側に配設され、冷却水が車両左側から車両右側へ流れるように設定されたクロスフロー型のラジエータと、該ラジエータの車両後側に隣接して配設され、前記エンジン側から見て右回転して、該ラジエータ側の空気を車両後方へ流す単一の冷却ファンと、前記エンジンの車両上側に設けられると共に、車両右側の前記エンジンマウント上まで延設されたエンジン意匠カバーと、前記ラジエータサポートの車両上側に設けられ、前記冷却ファンの中心から車両右側では前記エンジン意匠カバーにラップし、前記冷却ファンの中心から車両左側では前記エンジン意匠カバーとの間に車両前後方向の隙間が形成されるように構成されたラジエータサポート意匠カバーと、を有している。
【０００７】
請求項１に記載のエンジンルーム部品の冷却構造では、ラジエータがクロスフロー型であり、冷却水が車両左側から車両右側へ流れるので、ラジエータ及び冷却ファンを通過した直後の空気の温度分布は、車両左側よりも車両右側の方が低温となる。そして、ラジエータサポート意匠カバーが、冷却ファンの中心から車両右側において、エンジン意匠カバーにラップしているので、ラジエータ及び冷却ファンを通過した相対的に低温の空気が、エンジンの車両右側に流れ込むこととなる。エンジン意匠カバーは、車両右側のエンジンマウント上まで延設されているので、該エンジンマウントやその後方の部品に相対的に低温の空気が当たる。これにより、車両右側のエンジンマウント等を冷却することができ、エンジンの車両右側に高温の空気が流れ込むことによる熱害を抑制することができる。
【０００８】
一方、冷却ファンの中心から車両左側では、ラジエータサポート意匠カバーとエンジン意匠カバーとの間に、車両前後方向の隙間が形成されているので、ラジエータ及び冷却ファンを通過した比較的高温の空気は、該隙間からエンジン意匠カバー上に流れ出て、該エンジン意匠カバー上を通過して、エンジンの車両後方側に設けられた排気系部品に当たる。これにより、該排気系部品が冷却される。この排気系部品及びその周囲は、ラジエータ及び冷却ファンを通過した比較的高温の空気よりも元来高温の雰囲気にあるため、ラジエータ及び冷却ファンを通過した空気でも十分冷却が可能である。
【発明の効果】
【０００９】
以上説明したように、本発明に係るエンジンルーム部品の冷却構造によれば、エンジンの車両右側に高温の空気が流れ込むことによる熱害を抑制することができる、という優れた効果が得られる。
【図面の簡単な説明】
【００１０】
【図１】図１から図３は、第１実施形態に係り、図１は、エンジンルーム部品の冷却構造を示す平面図である。
【図２】エンジンルーム部品の冷却構造を示す、２−Ａ−Ｂ−２矢視断面図である。
【図３】エンジン意匠カバーを示す拡大斜視図である。
【図４】第２実施形態に係るエンジンルーム部品の冷却構造を示す平面図である。
【図５】ラジエータを通過した直後の空気の温度分布の一例を示す図である。
【図６】冷却ファンを通過した直後の空気の温度分布の一例を示す図である。
【図７】エンジンルーム部品の冷却構造を示す斜視図である。
【図８】エンジン意匠カバーの変形例を示す斜視図である。
【発明を実施するための形態】
【００１１】
以下、本発明の実施の形態を図面に基づき説明する。
【００１２】
［第１実施形態］
図１，図２において、本実施の形態に係るエンジンルーム部品の冷却構造１０は、エンジン１２と、ラジエータ１４と、単一の冷却ファン１６と、エンジン意匠カバー１８と、ラジエータサポート意匠カバー２２と、を有している。
【００１３】
エンジン１２は、車両前部２４のエンジンルーム２６内に左右のエンジンマウント２８，３０を介して配設され、車両後方側に排気系部品の一例たる排気マニホールド３２が設けられている。このエンジン１２は、クランク軸（図示せず）の軸方向が車幅方向となる横置きに搭載されている。エンジン１２の車両前方側には、吸気系部品である例えばサージタンク３４（図２）及び吸気マニホールド３６が設けられている。車両右側のエンジンマウント２８は、車両右側のサイドメンバ３８にステー２９（図７）を介して結合されている。また車両左側のエンジンマウント３０は、トランスミッション３１上に結合されている。
【００１４】
図７に示されるように、エンジン１２の後方には、車室（図示せず）とエンジンルーム２６とを区画するダッシュパネル４１が設けられている。図示の車両は、いわゆる右ハンドル車両であり、ダッシュパネル４１の車両右側部にステアリングコラム４３が貫通している。
【００１５】
ラジエータ１４は、車幅方向に延びる上下一対のラジエータサポート４２，４４（図２）に支持されてエンジン１２の車両前側に配設され、冷却水が車両左側から車両右側へ流れるように設定されたクロスフロー型の熱交換器である。本実施形態では、ラジエータ１４の車両前側に隣接して、エアーコンディショナのコンデンサ４６が設けられている。
【００１６】
単一の冷却ファン１６は、ラジエータ１４の車両後側に隣接して配設され、必要に応じて、エンジン１２側から見て右回転して、該ラジエータ１４側の空気を車両後方へ流すように構成されている。この冷却ファン１６の周囲には、ラジエータ１４の車両後方側を覆うファンシュラウド４８が設けられている。
【００１７】
図１，図２において、エンジン意匠カバー１８は、エンジン１２の車両上側に設けられている。またエンジン意匠カバー１８には、エンジン１２の車両右側の端部を越えて、車両右側のエンジンマウント２８上まで延設された延長部１８Ａが形成されている。この延長部１８Ａの後端には、車両後方の斜め下方に向けられたデフレクタ１８Ｂが設けられている。エンジン意匠カバー１８の延長部１８Ａの車両下側を車両後方に流れる空気は、このデフレクタ１８Ｂにより案内されて、車両後方の斜め下方に向かうようになっている。
【００１８】
図１に示されるように、ラジエータサポート意匠カバー２２は、上側のラジエータサポート４２の車両上側に設けられている。このラジエータサポート意匠カバー２２は、車両の左右において非対称となっており、冷却ファン１６の中心を基準として、車両右側の後端縁２２Ｒの位置の方が、車両左側の後端縁２２Ｌの位置よりも車両後方に延びている。これにより、ラジエータサポート意匠カバー２２は、冷却ファン１６の中心から車両右側では、後端縁２２Ｒにおいてエンジン意匠カバー１８の前端縁１８Ｆにラップし（図２）、冷却ファン１６の中心から車両左側では、後端縁２２Ｌとエンジン意匠カバー１８との間に車両前後方向の隙間Ｓが形成されるようになっている。またラジエータサポート意匠カバー２２の前端縁２２Ａは、例えば車幅方向の全体にわたって、ラジエータサポート４２の車両上側に重なっている。
【００１９】
（作用）
本実施形態は、上記のように構成されており、以下その作用について説明する。図１，図２において、本実施形態に係るエンジンルーム部品の冷却構造１０では、ラジエータ１４がクロスフロー型であり、冷却水が車両左側から車両右側へ流れるので、ラジエータ１４及び冷却ファン１６を通過した空気の温度分布は、車両左側よりも車両右側の方が低温となる。そして、ラジエータサポート意匠カバー２２の後端縁２２Ｒが、冷却ファン１６の中心から車両右側において、エンジン意匠カバー１８にラップしているので、ラジエータ１４及び冷却ファン１６を通過した相対的に低温の空気が、エンジン１２の車両右側に矢印Ｃ方向に流れ込むこととなる。
【００２０】
更にエンジン意匠カバー１８が、車両右側のエンジンマウント２８上まで延設されているので、該エンジンマウント２８やその後方の部品である例えばステアリングコラム４３（図７）に、比較的低温の空気が当たる。特に本実施形態では、エンジン意匠カバー１８の延長部１８Ａの後端にデフレクタ１８Ｂが設けられているので、エンジン意匠カバー１８の延長部１８Ａの車両下側を車両後方に流れる空気は、このデフレクタ１８Ｂにより案内されて、車両後方の斜め下方に向かうこととなる。これにより、車両右側のエンジンマウント２８等を、より効率的に冷却することができ、エンジン１２の車両右側に高温の空気が流れ込むことによる熱害を抑制することができる。
【００２１】
一方、冷却ファン１６の中心から車両左側では、ラジエータサポート意匠カバー２２の後端縁２２Ｌとエンジン意匠カバー１８との間に、車両前後方向の隙間Ｓが形成されているので、ラジエータ１４及び冷却ファン１６を通過した相対的に高温の空気は、該隙間Ｓからエンジン意匠カバー１８上に矢印Ｄ方向に流れ出て、該エンジン意匠カバー１８上を通過して、エンジン１２の後方側に設けられた排気マニホールド３２（排気系部品）に当たる。これにより、該排気マニホールド３２が冷却される。この排気マニホールド３２及びその周囲は、ラジエータ１４及び冷却ファン１６を通過した比較的高温の空気よりも元来高温の雰囲気にあるため、ラジエータ１４及び冷却ファン１６を通過した空気でも十分冷却が可能である。
【００２２】
［第２実施形態］
図４において、本実施の形態に係るエンジンルーム部品の冷却構造２０では、エンジン意匠カバー１８の左端縁１８Ｌより車両左側において、ラジエータサポート意匠カバー２２の後端縁２２Ｍが車両後方に延びている。これにより、隙間Ｓは、車両平面視で、ラジエータサポート意匠カバー２２とエンジン意匠カバー１８との間において窓状に形成されている。
【００２３】
またエンジン意匠カバー１８の延長部１８Ａの前端が、第１実施形態よりも車両後方に位置しており、その分ラジエータサポート意匠カバー２２の後端縁２２Ｎが車両後方に延びている。
【００２４】
更に、車両平面視で、ラジエータサポート４２の車両右側部の車両後方と、車両右側のサイドメンバ３８の車幅方向内側との隅部には、車幅方向から車両後方側へ湾曲し、かつ車両上側から車両下側に向かうエアガイド５０が設けられている。このエアガイド５０は、ラジエータサポート意匠カバー２２の車両下方に設けられるが、該ラジエータサポート意匠カバー２２に一体的に設けてもよいし、また該ラジエータサポート意匠カバー２２と別体としてもよい。
【００２５】
他の部分については、第１実施形態と同様であるので、同一の部分には図面に同一の符号を付し、説明を省略する。
【００２６】
（作用）
本実施形態は、上記のように構成されており、以下その作用について説明する。本実施形態では、第１実施形態と同様に、ラジエータ１４がクロスフロー型であり、冷却水が車両左側の入口から車両右側の出口へ流れるので、ラジエータ１４及び冷却ファン１６を通過した直後の空気の温度分布は、車両左側よりも車両右側の方が低温となる（図５）。図５は、その温度分布の一例を示す図である。図６は、更に冷却ファン１６を通過した直後の空気の温度分布を示す図である。図５，図６においては、ハッチング密度が低い領域が高温であり、ハッチング密度が高い領域が低温であることを意味している。
【００２７】
図４において、本実施形態に係るエンジンルーム部品の冷却構造２０では、ラジエータサポート意匠カバー２２の後端縁２２Ｒが、冷却ファン１６の中心から車両右側において、エンジン意匠カバー１８にラップしており、かつ車幅方向から車両後方側へ湾曲したエアガイド５０が設けられているので、ラジエータ１４及び冷却ファン１６を通過した比較的低温の空気が、エンジン１２の車両右側に矢印Ｃ方向に流れ込むこととなる。
【００２８】
更にエンジン意匠カバー１８が車両右側のエンジンマウント２８上まで延設されているので、該エンジンマウント２８やその後方の部品である例えばステアリングコラム４３（図７）に、比較的低温の空気が当たる。特に本実施形態では、
【００２９】
エアガイド５０が車両上側から車両下側に向かって設けられており、かつエンジン意匠カバー１８の延長部１８Ａの後端にデフレクタ１８Ｂが設けられているので、エンジン意匠カバー１８の延長部１８Ａの車両下側を車両後方に流れる空気は、このエアガイド５０及びデフレクタ１８Ｂにより案内されて、車両後方の斜め下方に向かうこととなる。これにより、車両右側のエンジンマウント２８等を、より効率的に冷却することができ、エンジン１２の車両右側に高温の空気が流れ込むことによる熱害を抑制することができる。
【００３０】
一方、冷却ファン１６の中心から車両左側では、ラジエータサポート意匠カバー２２の後端縁２２Ｌとエンジン意匠カバー１８との間に、窓状の隙間Ｓが形成されているので、ラジエータ１４及び冷却ファン１６を通過した比較的高温の空気は、該隙間Ｓからエンジン意匠カバー１８上に矢印Ｄ方向に流れ出て、該エンジン意匠カバー１８上を通過して、エンジン１２の車両後方側に設けられた排気マニホールド３２（排気系部品）に当たる。これにより、該排気マニホールド３２が冷却される。この排気マニホールド３２及びその周囲は、ラジエータ１４及び冷却ファン１６を通過した比較的高温の空気よりも元来高温の雰囲気にあるため、ラジエータ１４及び冷却ファン１６を通過した空気でも十分冷却が可能である。
【００３１】
本実施形態の構成により、排気マニホールド３２の雰囲気温度を、従来構造と比較して例えば７．５℃低下させることができる。またエンジン１２の左右では、車両右側の雰囲気温度を、車両左側の雰囲気温度よりも低くすることができる。
【００３２】
（エンジン意匠カバーの変形例）
【００３３】
図８に示されるように、エンジン意匠カバー１８の前端縁１８Ｆを、吸気マニホールド３６（図４）の車両前方かつ車両下側に延長して、該前端縁１８Ｆにより該吸気マニホールド３６を覆うようにしてもよい。これにより、冷却ファン１６を通過した空気が直接吸気マニホールド３６に当たることを抑制できる。即ち、前端縁１８Ｆがインシュレータとなるので、吸気温の上昇を抑制することができる。
【００３４】
またこの変形例では、冷却ファン１６（図４）の中心から車両右側に重なる前端縁１８ＦＲが、車両右側の車両後方に向けてなだらかに傾斜している。これにより、冷却ファン１６を通過した相対的に低温の空気を矢印Ｃ方向に円滑に導くことができる。
【００３５】
一方、冷却ファン１６（図４）の中心から車両左側に重なる前端縁１８ＦＬは、車両後方かつ車両上側に向けてなだらかに傾斜している。これにより、冷却ファン１６を通過した相対的に高温の空気を矢印Ｄ方向に円滑に導くことができる。
【符号の説明】
【００３６】
１０    エンジンルーム部品の冷却構造
１２    エンジン
１４    ラジエータ
１６    冷却ファン
１８    エンジン意匠カバー
２０    エンジンルーム部品の冷却構造
２２    ラジエータサポート意匠カバー
２４    車両前部
２６    エンジンルーム
２８    エンジンマウント
３０    エンジンマウント
３２    排気マニホールド（排気系部品）
３４    サージタンク（吸気系部品）
３６    吸気マニホールド（吸気系部品）
４２    ラジエータサポート
４４    ラジエータサポート
Ｓ      隙間
【図１】
2011168083.tif 000003
【図２】
2011168083.tif 000004
【図３】
2011168083.tif 000005
【図４】
2011168083.tif 000006
【図５】
2011168083.tif 000007
【図６】
2011168083.tif 000008
【図７】
2011168083.tif 000009
【図８】
2011168083.tif 000010